(57)【要約】無線システムたとえば移動無線システムにおける送信機（１）のエアインタフェースのできるかぎりフレキシブルかつ最適化されたコンフィギュレーションを実現する目的で本発明によれば、送信機（１）から伝送される加入者固有の制御チャネルのデータが、適応的に変更可能な周波数ポジションまたは帯域幅で伝送される。加入者固有の制御チャネルには、チャネル推定用のパイロットシンボル（８）、電力調整用のＴＰＣシンボル（９）、伝送フォーマット指示伝達用のＴＦＩシンボル（１０）ならびにその他のシンボルを含めることができ、その際、個々のシンボルグループ（８〜１１）に対し個々に望ましい周波数ポジションまたは帯域幅を設定することができる。【特許請求の範囲】
【請求項１】
無線システムにおける加入者固有の制御チャネルのデータを伝送する方法において、
加入者固有の制御チャネルのデータ（８〜１１）は無線システムの送信側（１）から受信側（６）へのコネクションが確立している間、適応的に変えられる周波数ポジションによって伝送されることを特徴とする方法。
【請求項２】
送信機（１）から受信機（６）へ加入者固有の制御チャネル（８〜１１）のほかに加入者固有のデータチャネル（７）も伝送され、前記加入者固有の制御チャネル（８〜１１）と前記加入者固有のデータチャネル（７）の伝送のために送信機（１）に割り当てられる全帯域幅は適応的に変更される、請求項１記載の方法。
【請求項３】
送信機（１）から受信機（６）へ加入者固有の制御チャネル（８〜１１）のほかに加入者固有のデータチャネル（７）も伝送され、前記加入者固有の制御チャネル（８〜１１）と前記加入者固有のデータチャネル（７）の伝送のために送信機（１）に割り当てられる全帯域幅は一定に保持される、請求項１記載の方法。
【請求項４】
前記加入者固有の制御チャネルは、受信側のチャネル推定用のデータをもつ第１のデータ群（８）と、受信側の電力調整用のデータをもつ第２のデータ群（９）と、伝送フォーマット情報伝送用のデータをもつ第３のデータ群（１０）および／またはその他の情報を伝送するための第４のデータ群（１１）を有しており、前記の第１のデータ群（８）と第２のデータ群（９）と第３のデータ群（１０）および／または第４のデータ群（１１）は適用的に変更される周波数ポジションで伝送される、請求項１から３のいずれか１項記載の方法。
【請求項５】
受信側のチャネル推定用の第１のデータ群（８）のデータが第１の周波数帯域、第２の周波数帯域、第３の周波数帯域、第４の周波数帯域および第５の周波数帯域で伝送され、
第１の周波数帯域と第２の周波数帯域との間に位置する周波数領域で、送信機（１）の加入者固有のデータチャネル（７）の情報が伝送され、
第２の周波数帯域と第３の周波数帯域との間に位置する周波数領域で、受信側の電力制御用のデータをもつ第２のデータ群（９）が伝送され、
第３の周波数帯域と第４の周波数帯域との間に位置する周波数領域で、伝送フォーマット情報伝送用のデータをもつ第３のデータ群（１０）が伝送され、
第４の周波数帯域と第５の周波数帯域との間に位置する周波数領域で、送信機（１）の加入者固有のデータチャネル（７）の情報が伝送される、
請求項４記載の方法。
【請求項６】
受信側のチャネル推定用の第１のデータ群（８）のデータが第１の周波数帯域、第２の周波数帯域および第３の周波数帯域で伝送され、
第１の周波数帯域と第２の周波数帯域との間に位置する周波数領域で、送信機（１）の加入者固有のデータチャネル（７）の情報と、受信側の電力調整用データをもつ第２のデータ群（９）が伝送され、
第２の周波数帯域と第３の周波数帯域との間に位置する周波数領域で、伝送フォーマット情報伝送用のデータをもつ第３のデータ群（１０）と、送信機（１）の加入者固有のデータチャネル（７）の情報が伝送される、
請求項４記載の方法。
【請求項７】
受信側のチャネル推定用の第１のデータ群（８）のデータが第１の周波数帯域、第２の周波数帯域、第３の周波数帯域、第４の周波数帯域、第５の周波数帯域、第６の周波数帯域および第７の周波数帯域で伝送され、
第１の周波数帯域と第２の周波数帯域との間に位置する周波数領域で、送信機（１）の加入者固有のデータチャネル（７）の情報が伝送され、
第２の周波数領域と第３の周波数領域との間に位置する周波数領域で、送信機（１）の加入者固有のデータチャネル（７）の情報が伝送され、
第３の周波数領域と第４の周波数領域との間に位置する周波数領域で、受信側の電力調整用のデータをもつ第２のデータ群（９）が伝送され、
第４の周波数帯域と第５の周波数帯域との間に位置する周波数領域で、伝送フォーマット情報伝送用のデータをもつ第３のデータ群（１０）が伝送され、
第５の周波数帯域と第６の周波数帯域との間に位置する周波数領域で、送信機（１）の加入者固有のデータチャネル（７）の情報が伝送され、
第６の周波数領域と第７の周波数領域との間に位置する周波数領域で、送信機（１）の加入者固有のデータチャネル（７）が伝送される、
請求項４記載の方法。
【請求項８】
受信側のチャネル推定用の第１のデータ群（８）のデータが第１の周波数帯域、第２の周波数帯域、第３の周波数帯域、第４の周波数帯域および第５の周波数帯域で伝送され、
第１の周波数帯域と第２の周波数帯域との間に位置する周波数領域で、送信機（１）の加入者固有のデータチャネル（７）の情報と第２のデータ群（９）のデータが伝送され、
第２の周波数帯域と第３の周波数帯域との間に位置する周波数領域で第２のデータ群（９）のデータが伝送され、
第３の周波数帯域と第４の周波数帯域との間に位置する周波数領域で、第３のデータ群（１０）のデータが伝送され、
第４の周波数帯域と第５の周波数帯域との間に位置する周波数領域で、送信機（１）の加入者固有のデータチャネル（７）の情報が伝送される、
請求項４記載の方法。
【請求項９】
受信側のチャネル推定用の第１のデータ群（８）のデータが第１の周波数帯域、第２の周波数帯域、第３の周波数帯域および第４の周波数帯域で伝送され、
第１の周波数帯域と第２の周波数帯域との間に位置する周波数領域で、送信機（１）の加入者固有のデータチャネル（７）の情報が伝送され、
第２の周波数帯域と第３の周波数帯域との間に位置する周波数領域で、受信側の電力調整用のデータをもつ第２のデータ群が伝送され、
第３の周波数帯域と第４の周波数帯域との間に位置する周波数領域で、伝送フォーマット情報および送信機（１）の加入者固有のデータチャネル（７）の情報を伝送するためのデータをもつ第３のデータ群（１０）が伝送される、
請求項４記載の方法。
【請求項１０】
送信機（１）から受信機（６）へ、加入者固有の制御チャネル（８〜１１）のデータがそれぞれ異なる周波数領域に割り当てられた複数のサブキャリアによって伝送され、
前記送信機（１）により、加入者固有の制御チャネル（８〜１１）のデータの個数または周波数ポジション変更のため、該加入者固有の制御チャネル（８〜１１）のデータに使用されるサブキャリアの個数および／または配置が適応的に変えられる、請求項１から９のいずれか１項記載の方法。
【請求項１１】
受信側のチャネル推定用の第１のデータ群（８）のデータが第１の周波数帯域、第２の周波数帯域、第３の周波数帯域、第４の周波数帯域および第５の周波数帯域で伝送され、
第１の周波数帯域と第２の周波数帯域との間に位置する周波数領域で、送信機（１）の加入者固有のデータチャネル（７）の情報が伝送され、
第２の周波数帯域と第３の周波数帯域との間に位置する周波数領域で、加入者固有のデータチャネル（７）の情報が伝送され、
第３の周波数帯域と第４の周波数帯域との間に位置する周波数領域で、受信側の電力調整用データをもつ第２のデータ群（９）と伝送フォーマット情報伝送用のデータをもつ第３のデータ群（１０）が伝送され、
第４の周波数帯域と第５の周波数帯域との間に位置する周波数領域で、送信機（１）の加入者固有のデータチャネル（７）の情報が伝送される、
請求項４または１０記載の方法。
【請求項１２】
第１のデータ群（８）に割り当てられている第１の周波数帯域、第２の周波数帯域、第３の周波数帯域、第４の周波数帯域および第５の周波数帯域はそれぞれ１つのサブキャリアによって形成されており、
加入者固有のデータチャネル（７）の情報に対し全部で２０個のサブキャリアが割り当てられており、
前記の第２のデータ群（９）と第３のデータ群（１０）にそれぞれ４つのサブキャリアが割り当てられている、
請求項１１記載の方法。
【請求項１３】
受信側のチャネル推定用の第１のデータ群（８）のデータが第１の周波数帯域、第２の周波数帯域、第３の周波数帯域および第４の周波数帯域で伝送され、
第１の周波数帯域と第２の周波数帯域との間に位置する周波数領域で、送信機（１）の加入者固有のデータチャネル（７）の情報が伝送され、
第２の周波数帯域と第３の周波数帯域との間に位置する周波数領域で、受信側の電力調整用データをもつ第２のデータ群（９）と、伝送フォーマット情報伝送用のデータをもつ第３のデータ群（１０）と、送信機（１）の加入者固有のデータチャネル（７）の情報が伝送され、
第３の周波数帯域と第４の周波数帯域との間に位置する周波数領域で、送信機（１）の加入者固有のデータチャネル（７）の情報が伝送される、
請求項４または１０記載の方法。
【請求項１４】
第１のデータ群（８）に割り当てられている第１の周波数帯域と第２の周波数帯域と第３の周波数帯域と第４の周波数帯域はそれぞれ２つのサブキャリアにより形成されており、
加入者固有のデータチャネル（７）に対し全部で４８個のサブキャリアが割り当てられており、
第２のデータ群（９）と第３のデータ群（１０）にそれぞれ１つのサブキャリアが割り当てられている、
請求項１３記載の方法。
【請求項１５】
送信機（１）に対し受信側の伝送チャネルを介して、加入者固有の制御チャネル（８〜１１）におけるデータの周波数ポジションをどのように変更すべきかが通知される、請求項１から１４のいずれか１項記載の方法。
【請求項１６】
送信機（１）に対し受信側の加入者固有のデータチャネル（７）を介して、加入者固有の制御チャネル（８〜１１）におけるデータの周波数ポジションをどのように変更すべきかが通知される、請求項１５記載の方法。
【請求項１７】
無線システムにおける加入者固有の制御チャネルのデータを伝送する装置において、
加入者固有の制御チャネル（８〜１１）のデータを受信機（６）へ伝送するための可制御送信手段（５）と、
該可制御送信手段（５）を制御情報に依存して制御して、加入者固有の制御チャネル（８〜１１）のデータが受信機（６）とのコネクション確立中、前記制御情報に依存して適応的に調整される周波数ポジションで前記送信手段（５）から伝送されることを特徴とする装置。
【請求項１８】
無線システムにおいて伝送される伝送チャネルを受信する受信手段（３）が設けられており、該受信手段は加入者固有の制御チャネル（８〜１１）におけるデータの周波数ポジションを適応的に変更するための制御情報を受け取る、請求項１７記載の装置。
【請求項１９】
移動無線システムの送信装置（１）である、請求項１７または１８記載の装置。
【請求項２０】
請求項１から１６のいずれか１項記載の方法を実施する装置である、請求項１７から１９のいずれか１項記載の装置。
【発明の詳細な説明】
【技術分野】
【０００１】
本発明は、無線システムにおける加入者固有の制御チャネルのデータを伝送する方法およびそれに応じて構成された装置に関する。本発明はたとえば、無線システム殊に移動無線システムにおいて個々の伝送チャネルの伝送特性推定用のシンボル、電力調整用シンボルまたはフォーマット指示用情報をもつシンボルのように制御情報をもつ種々のシンボルを含む加入者固有の制御チャネルのデータを伝送する方法およびそれに応じて構成された装置に関する。
【０００２】
たとえば移動無線システムにおける移動局または基地局などの送信機または受信機の機能は、無線システムにおいて一般に階層モデルとして記述され、その際、個々の送信機もしくは受信機の様々な機能が種々の階層（レイヤ "layer"）に割り当てられている。この場合、無線システムではエアインタフェース（レイヤ１）を介して上位のレイヤ（レイヤ２，３またはそれよりも上のレイヤ）のデータが伝送される。無線システムに特有であるのは、個々の送信機または受信機のエアインタフェースがデータ速度（ｋｂｉｔ／ｓ）と伝送容量（ｂｉｔ／ｓ／Ｈｚ）の点でボトルネックとなっていることである。したがって新たな無線システムは、エアインタフェースができるかぎり最適化されてコンフィギュレーションされているよう設計して稼働させなければならない。ここで最適化の基準としてたとえば、１つまたは複数の加入者の最大データ速度、単一の無線セルまたは無線システム全体のスペクトル容量などを挙げることができる。その際に望ましいのはエアインタフェースを適応的にコンフィギュレーション可能にすることである。それというのもエアインタフェースの最適なもしくは最適化されたコンフィギュレーションは複数のパラメータに左右されるからであり、たとえば伝送チャネルの周囲環境や特性、無線セルの形式、用いられる多元接続方式の形式（ＴＤＤ（"Time Division Duplex"）またはＦＤＤ（"Frequency Division Duplex"））、個々の加入者の瞬時の速度、データ速度、システム負荷、ならびにデータ伝送形式（たとえばパケット指向または連続的など）である。ここでエアインタフェースのコンフィギュレーションは一般に加入者に固有（"dedicated"）であり、先に挙げたパラメータに依存する。
【０００３】
ＵＭＴＳ移動無線システム（"Universal Mobile Telecommunication System"）では個々の受信機のエアインタフェースのコンフィギュレーションのために加入者固有の制御チャネルが使用され、これは"Dedicated Physical Control Channel" (DPCCH)と呼ばれる。このＤＰＣＣＨチャネルを用いることにより個々の受信機へ情報が伝送され、受信機はこの情報を自身のエアインタフェースのコンフィギュレーションに使用することができる。たとえばこのＤＰＣＣＨチャネルには、個々の無線チャネルの伝送特性を推定するためのＮｐｉｌｏｔのパイロットシンボルと、電力制御用情報を伴うＮＴＰＣのＴＰＣシンボル（"Transmit Power Control）と、伝送すべきサービス（音声、"Circuit Switched"データ、パケットデータ等）のフォーマット表示もしくは組み合わせのための情報を伴うＮＴＦＩのＴＦＩシンボルをもつデータブロックが含まれている。
【０００４】
既述のパラメータの組み合わせに応じて、ＤＰＣＣＨチャネルの個々のデータブロックのためにそれぞれ異なる個数の多くのシンボルが必要とされる。
【０００５】
ＵＭＴＳ移動無線システムのＦＤＤモードにおけるＤＰＣＣＨチャネルの伝送のために知られているのは、ＤＰＣＣＨチャネルを時分割多重方式に従いパイロットシンボルとＴＰＣシンボルとＴＦＩシンボルとをもつデータブロックによってそれぞれ構成し、ダウンリンク時すなわち基地局から移動局への伝送時には対応する加入者固有のデータチャネル（"Dedicated Physical Data Channel", DPDCH）とともに伝送することである。つまりＤＰＤＣＨチャネルのデータとＤＰＣＣＨチャネルのデータが時間的に順次連続して伝送されるのである。これに対しアップリンク時すなわち移動局から基地局への伝送時にはＤＰＣＣＨチャネルとＤＰＤＣＨチャネルのＩ−Ｑマルチプレクス合成が行われる。
【０００６】
ＤＰＣＨチャネルの伝送に関してすでに提案されているのは、パイロットシンボルとＴＰＣシンボルとＴＦＩシンボルの個数を可変に構成することである。殊にこれまで提案されてきたのは、ＮｐｉｌｏｔとＮＴＰＣとＮＴＦＩの値をコネクション発生中、ＤＰＤＣＨチャネルを介して伝送されるレイヤ２／３シグナリングにより適応的に変更もしくは最適化することである。
【０００７】
本発明の課題は、無線システムにおける加入者固有の制御チャネルたとえばＵＭＴＳ移動無線システムにおけるＤＰＣＣＨチャネルなどのデータを伝送するための新たな代案となる方法ならびにそれに対応して構成された装置を提供することにあり、加入者固有の制御チャネルのデータ伝送時にできるかぎり高いフレキシビリティが与えられるようにして、無線システムの送信機または受信機におけるエアインタフェースのコンフィギュレーションを左右する既述のパラメータの組み合わせに従い、それらにできるかぎり迅速に応答できるようにし、それに従って最適化されたエアインタフェースのコンフィギュレーションを実現できるようにすることにある。
【０００８】
本発明によればこの課題は、請求項１の特徴部分に記載の方法あるいは請求項１７の特徴部分に記載の装置によって解決される。従属請求項には本発明の有利な実施形態がそれぞれ記載されている。
【０００９】
本発明によれば、加入者固有の制御チャネルのデータが適応的に変更可能な周波数ポジションまたは帯域幅によって伝送され、つまり加入者固有の制御チャネルは適応的に周波数領域において実現される。
【００１０】
たとえばＵＭＴＳ移動無線規格に準拠しているような移動無線システムにおいては、加入者固有の制御チャネルをいわゆるＤＰＣＣＨチャネルとすることができ、これはチャネル推定用のパイロットシンボルももっているし電力調整用のＴＰＣシンボルおよびフォーマット指示用のＴＦＩシンボルももっている。これらのデータブロックの各々を適応的な帯域幅または周波数ポジションで伝送することができ、つまりコネクションが確立している間、有利にはたとえばＵＭＴＳ移動無線システムにおけるＤＰＤＣＨチャネルなどのような相応の加入者固有のデータチャネルを介して伝送される適切なレイヤ２／３シグナリングによって、適応的に変更もしくは最適化することができる。
【００１１】
この場合、加入者が全体として利用できる帯域幅を一定にしてもよいし、可変にすることもできる。
【００１２】
さらにこの場合、個々のデータブロックに周波数スペクトルを割り当てることができ、それらは必ずしもまとまった状態でなくてもよい。これに関連して本発明の様々な実施形態によれば、個々の無線システムの動作条件に依存して、つまり冒頭で述べたパラメータの瞬時の組み合わせに依存して、適切なレイヤ２／３シグナリングにより設定を行うことができる。
【００１３】
第４世代の移動無線システムのための多元接続方式として有利であるのは、いわゆるＯＦＤＭ方式（"Orthogonal Frequency Division Multiplexing"）である。これによればデータブロックもしくはデータバーストが周期的に拡げられ、周波数領域内で変調される。ＯＦＤＭ方式の適用により、慣用の伝送方式の場合にはかなり激しい歪みをもつ伝送チャネルを、シンボル間干渉を伴わずに１つのチャネルに移行させることができる。
【００１４】
ＯＦＤＭ方式を適用した場合、加入者固有のデータチャネル（ＤＰＤＣＨ）のデータも加入者固有の制御チャネル（ＤＰＣＣＨ）のデータも多数のサブキャリアによって伝送され、これはＯＦＤＭキャリア（"OFDM-Carrier"）またはシヌイドSinuidとも呼ばれる。本発明によれば、加入者固有の制御チャネルを可変のまたは適応的に整合可能な帯域幅または周波数ポジションで伝送できるが、これを個々のデータブロックについてそのつど使用されるサブキャリアの個数と配置を適切に変化させることにより簡単に実現することができる。
【００１５】
ＯＦＤＭ方式によるデータの伝送のために、動作状況に依存して任意に選択される様々な実施形態が提案される。
【００１６】
次に、有利な実施例に基づき添付の図面を参照しながら本発明について詳しく説明する。ここではたとえば、加入者固有の制御チャネルと加入者固有のデータチャネルのデータの伝送がＵＭＴＳ移動無線システムにおいて行われるものとして本発明を説明する。とはいえ当然ながら本発明はこの適用分野に限定されるものではなく原理的に、送信側から受信側へその受信側のために定められた制御情報を含む加入者固有の制御チャネルが伝送される形式のどのような無線システムにおいても適用することができる。
【００１７】
図１のＡ）〜図１のＥ）には、ＤＰＣＣＨチャネルとＤＰＤＣＨチャネルを伝送するための本発明による帯域幅もしくは周波数ポジションのバリエーションに関する様々な実施例が示されている。
【００１８】
図２のＡ）とＢ）には、ＯＦＤＭ方式を採用した場合にＤＰＤＣＨチャネルとＤＰＣＣＨチャネルのために利用可能な本発明による帯域幅もしくは周波数ポジションのバリエーションに関する様々な実施例が示されており、ここではデータはそれぞれ複数のサブキャリアによって伝送される。
【００１９】
図３には、本発明による移動無線システムに関する簡略化したブロック図が示されている。
【００２０】
本発明によれば、加入者固有の制御チャネルすなわちＤＰＣＣＨチャネル（"Dedicated Physical Control Channel"）の伝送が適応的に周波数範囲内で、ＤＰＣＣＨチャネルのデータが適応的に可変の帯域幅または周波数ポジションで伝送されるよう実現される。この場合、ＤＰＣＣＨチャネルの個々のデータブロックの周波数ポジションもしくは帯域幅を個々に整合させることができ、つまり受信側のチャネル推定に用いられるパイロットシンボルの周波数ポジションまたは帯域幅、受信側の電力制御に用いられるＴＰＣシンボルの周波数ポジションないしは帯域幅、フォーマット指示の伝達に用いられるＴＦＩシンボルの周波数ポジションないしは帯域幅、および／またはＤＰＣＣＨチャネルのその他のシンボルの周波数ポジションないしは帯域幅を個々に整合させることができ、それによってエアチャネルの最適化されたコンフィギュレーションを実現することができる。以下ではパイロットシンボルの帯域幅ないしは周波数ポジションをＢｐｉｌｏｔで表し、ＴＰＣシンボルの帯域幅をＢＴＰＣで、ＴＦＩシンボルの帯域幅をＢＴＦＩで、さらにＤＰＣＣＨチャネルのその他のシンボルの帯域幅をＢｓｏｎｔで表す。
【００２１】
コネクションが確立されている間、Ｂｐｉｌｏｔ、ＢＴＰＣ、ＢＴＦＩ、Ｂｓｏｎｔに対する値を、相応の加入者固有データチャネル（"Dedicated Physical Data Channel"）、ＤＰＤＣＨを介して伝送される適切なレイヤ２／３シグナリングによって適応的に変更もしくは最適化することができる。加入者が全体として利用できる帯域幅Ｂｇｅｓａｍｔは一定にしておくこともできるし、あるいは可変であってもよい。この場合、一人の加入者が全体として利用できる帯域幅Ｂｇｅｓａｍｔは以下のように定義されている：
Ｂｇｅｓａｍｔ＝ＢＤＰＣＣＨ＋ＢＤＰＤＣＨ＝Ｂｐｉｌｏｔ＋ＢＴＰＣ＋ＢＴＦＩ＋Ｂｓｏｎｔ＋ＢＤＰＤＣＨ
ここでＢＤＰＣＣＨはＤＰＣＣＨチャネルのシンボルを伝送するための全帯域幅、ＢＤＰＤＣＨはＤＰＤＣＨチャネルのシンボルを伝送するための全帯域幅を表す。Ｂｐｉｌｏｔ、ＢＴＰＣ、ＢＴＦＩ、Ｂｓｏｎｔのために割り当てられる加入者の周波数スペクトルを１つにまとめられた状態にしておかなくてもよい。
【００２２】
これについては図１および図２を参照しながら様々な実施例に基づきあとで説明するが、まずはじめに図３を参照しながら本発明の基本的な動作について説明する。ここでは無線システムは、移動局１図示の実施例では移動電話と基地局６との間で通信が行われる移動無線システムであるとする。さらにここでは移動局１は、適応的に可変の周波数ポジションまたは帯域幅で加入者固有制御チャネルもしくはＤＰＤＣＨチャネルを基地局６に伝送するよう本発明に従って構成された装置であるとする。移動局１から基地局６への通信はいわゆるアップリンクＵＬを介して行われるのに対し、基地局６から移動局１への通信はいわゆるダウンリンクＤＬを介して行われる。移動局１は基地局６からダウンリンクＤＬを介して、このダウンリンクＤＬのＤＰＤＣＨチャネルを介して伝送される適切なレイヤ２／３シグナリングにより、基地局６へ伝送すべきＤＰＣＣＨチャネルの個々のデータの帯域幅または周波数ポジションをどのように設定すべきかの情報を受け取る。この情報は移動局１のエアインタフェース２を介して移動局１の受信部３に供給され、制御ユニット４により評価される。この情報の評価に依存して制御ユニット４は移動局１の送信部５を制御し、これに応じてＤＰＣＣＨチャネルまたはこのＤＰＣＣＨチャネルにおける個々のデータブロックの帯域幅もしくは周波数ポジションを設定することができる。移動局１が基地局６から受信する情報は、それによってＤＰＣＣＨチャネルの個々の周波数ポジションもしくは帯域幅の複数の可能な組み合わせのうち１つの特定の組み合わせが選び出されるように構成することができる。同様にこの情報を、それにより個々のデータブロックだけについてたとえばＤＰＣＣＨチャネルのパイロットシンボルだけについて周波数ポジションまたは帯域幅が設定されるように構成してもよい。とはいえ通常は１つのデータブロックの帯域幅を変更すれば他のデータブロックの帯域幅にも影響が及ぼされるので、移動局１つまり相応の送信部５内にＤＰＣＣＨチャネルの個々のデータブロックの帯域幅について多数の様々な組み合わせを記憶しておくのが有利であり、この場合、それらを受信した情報に依存して読み出して変換するだけでよい。
【００２３】
ＤＰＣＣＨチャネルもしくはＤＰＣＣＨ信号における個々のデータブロックの帯域幅の設定後、ＤＰＣＣＨチャネルのデータがエアインタフェース２を介して基地局６へ伝送される。
【００２４】
図１にはＤＰＣＣＨチャネルの伝送に関する種々の実施例が描かれている。ここでは１つの加入者においてＤＰＣＣＨチャネルについてもＤＰＤＣＨチャネルについても利用可能な帯域幅または周波数ポジションが、図１のＡ）〜図１のＥ）まで変化している。すでに説明したようにコネクション中、これが適切なレイヤ２／３シグナリングによって受信ＤＰＤＣＨチャネルを介して加入者にシグナリングされる。
【００２５】
ここではＤＰＤＣＨチャネルのデータにはそれぞれ参照符号７が付されており、ＤＰＣＣＨチャネルのパイロットシンボルにはそれぞれ参照符号８が、ＤＰＣＣＨチャネルのＴＰＣシンボルにはそれぞれ参照符号９が、ＤＰＣＣＨチャネルのＴＦＩシンボルにはそれぞれ参照符号１０が付されており、さらにＤＰＣＣＨチャネルのその他のシンボルには参照符号１１が付されている。
【００２６】
この場合、図１のＡ）に示されている事例が前提状態を表すものとする。ここではＤＰＤＣＨチャネル７のために２つの周波数帯域が用いられているのに対し、ＤＰＣＣＨチャネルのシンボル８のためには５つの周波数帯域が使われており、ＤＰＣＣＨチャネルのＴＰＣシンボルとＴＦＩシンボルのためには周波数帯域がそれぞれ１つずつ使われている。
【００２７】
図１のＢ）に示されている事例では図１のＡ）と対比してみると、パイロットシンボル８の５つの周波数帯域のうち２つの周波数帯域がそれぞれ同じ部分でＴＰＣシンボル９とＴＦＩシンボル１０のための周波数帯域に加えられる。図１のＢ）に示されている事例が有用となるのはたとえば、無線チャネルまたは伝送チャネルのコヒーレント帯域幅が図１のＡ）に示した事例よりも著しく大きいときである。この場合には図１のＢ）に従って使用されるパイロットシンボル８のための周波数帯域が、全周波数帯域の最初と最後にあれば十分である。さらに図１のＢ）では、ＤＰＣＣＨチャネルにおけるその他のデータ１１を伝送するための付加的な周波数帯域も利用可能になっており、これによって加入者が全体として利用できる帯域幅が図１のＡ）よりも広がっている。
【００２８】
図１のＣ）に示されている事例の場合には図１のＡ）と対比してみると、パイロットシンボル８のために別の周波数帯域が挿入されている。これによりＤＰＤＣＨチャネルのデータ７のための帯域幅が犠牲になっている。図１のＣ）に示した事例は、コヒーレント帯域幅が図１のＡ）とＢ）に示した事例よりも著しく小さい無線チャネルにおいて殊に使用できる。
【００２９】
図１のＤ）によれば図１のＡ）とは異なり、ＴＰＣシンボル９の伝送のために第２の周波数帯域が使われる。このようにすればＴＰＣシンボルを図１のＡ）よりも著しく高い信頼性を伴って、もしくはエラー保護について著しく高められて伝送することができるようになる。図１のＤ）に示した事例の場合も、ＴＰＣシンボル９のために付加的に使われた周波数帯域によりＤＰＤＣＨチャネルのデータ７が犠牲になっており、殊にＤＰＤＣＨチャネルの最初の周波数帯域が犠牲になっている。
【００３０】
図１のＥ）に示されている事例では、ＤＰＤＣＨチャネルの周波数帯域７が図１のＡ）に示した事例よりも拡げられている。しかもＴＰＣシンボル９が図１のＡの場合よりも広い帯域幅で伝送される。ＴＦＩシンボル１０を伝送するための帯域幅は図１のＡ）よりも狭められており、このことが有用となるのはたとえば、該当する加入者に対し種々のフォーマットのうち僅かな個数しか許容されておらず、したがってこのフォーマット指示を確実に伝送するために図１のＡ）よりも僅かな帯域幅が要求されているときである。全体としては図１のＥ）によれば、加入者が利用できる全帯域幅が図１のＡ）〜Ｄ）に示した事例よりも拡げられている。
【００３１】
図２のＡ）と図２のＢ）には、ＯＦＤＭ多元接続方式によるＤＰＣＣＨチャネルとＤＰＤＣＨチャネルのデータ伝送に関する２つの異なる実施例が示されている。この場合、ＤＰＤＣＨチャネルのデータもＤＰＣＣＨチャネルのデータも多数のサブキャリアによって伝送される。本発明において提案される可変の帯域幅ないしは周波数ポジションによるデータ伝送は、ＯＦＤＭ多元接続方式によってきわめて簡単に実現できる。その理由は、Ｂｐｉｌｏｔ、ＢＴＰＣ、ＢＴＦＩ、ＢｓｏｎｔおよびＢＤＰＤＣＨのためにサブキャリアの個数および／または配置を相応に変えるだけでよいからである。図２のＡ）およびＢ）には、各サブキャリアが狭いブロックのかたちで描かれている。
【００３２】
図２のＡ）に示されている事例ではＤＰＣＣＨチャネルのパイロットシンボル８のために合わせて５個のサブキャリアが使われるが、これらのサブキャリアは周波数に関してまとめられているのではなく、周波数帯域全体にわたって比較的均等に分散されている。ＤＰＤＣＨチャネル７には合わせて２０個のサブキャリアが割り当てられており、これらはそれぞれ８つのサブキャリアをもつ２つの周波数フィールドと４つのサブキャリアをもつ１つの周波数帯域に配置されている。さらにＤＰＣＣＨチャネルのＴＰＣシンボル９とＴＦＩシンボル１０とその他のデータ１１のためにそれぞれ４つのサブキャリアが使われ、これらは図２のＡ）に示されているように周波数ポジションに関して並べられている。
【００３３】
図２のＢ）にはこの実施例の変形が示されている。それによればＤＰＣＣＨチャネルのパイロットシンボル８のために、それぞれ２つのサブキャリアをもつ合わせて４つの周波数フィールドないしは周波数の束が用いられ、これらはやはり周波数帯域全体にわたって比較的均等に分散されている。これに対しＤＰＣＣＨチャネルにおけるＴＰＣシンボル９、ＴＦＩシンボル１０ならびにその他のデータ１１に対してはそれぞれ１つのサブキャリアしか使われておらず、それらの周波数ポジションも図２のＢ）に示されている。図２のＡ）に示されている事例と対比すると、図２のＢ）によればかなり多くのサブキャリアがＤＰＤＣＨチャネル７に割り当てられており、ここではＤＰＤＣＨチャネル７は合わせて４８個のサブキャリアを有しており、これらは３つのばらばらの周波数帯域に分散されている。加入者が全体として利用可能な帯域幅すなわちサブキャリアの総数は、図２のＡ）よりも大きくなっている。
【図面の簡単な説明】
【００３４】
【図１】ＤＰＣＣＨチャネルとＤＰＤＣＨチャネルを伝送するための本発明による帯域幅もしくは周波数ポジションのバリエーションに関する様々な実施例を示す図である。
【図２】ＯＦＤＭ方式を採用した場合にＤＰＤＣＨチャネルとＤＰＣＣＨチャネルのために利用可能な本発明による帯域幅もしくは周波数ポジションのバリエーションに関する様々な実施例を示す図である。
【図３】本発明による移動無線システムに関する簡略化したブロック図である。
【図１】
2004529563.tif 000002
【図２】
2004529563.tif 000003
【国際公開パンフレット】
2004529563.tif 000004
2004529563.tif 000005
2004529563.tif 000006
2004529563.tif 000007
2004529563.tif 000008
2004529563.tif 000009
2004529563.tif 000010
2004529563.tif 000011
2004529563.tif 000012
2004529563.tif 000013
2004529563.tif 000014
2004529563.tif 000015
2004529563.tif 000016
2004529563.tif 000017
2004529563.tif 000018
2004529563.tif 000019
2004529563.tif 000020
2004529563.tif 000021
2004529563.tif 000022
2004529563.tif 000023
2004529563.tif 000024
2004529563.tif 000025
2004529563.tif 000026
【国際公開パンフレット（コレクトバージョン）】
2004529563.tif 000027
【国際調査報告】
2004529563.tif 000028
2004529563.tif 000029
2004529563.tif 000030
2004529563.tif 000031